(57)【要約】【課題】液体噴出表面プレートと液体溜めチャンバとが分離可能なノズル本体を提供する。【解決手段】任意外形形状のプレートに複数の極小孔部を設け、その外形端にスカート部を設けた液体噴出表面プレートと、同形状の外形形状及びスカート部を有するプレートを液体溜めに形成すると共に液体を導入する導入部を開設した液体溜めチャンバと、両者を組み合わせたノズル本体の表裏双方から挟持する一対の挟持体と、挟持体を介し両者を密着把持する把持具とを設け、把持具によって把持して、液体噴出表面プレートと液体溜めチャンバとを組み合わせてノズル本体を形成すると共に、把持具を解除してノズル本体を液体噴出表面プレートと液体溜めチャンバとに分離可能に構成した。【選択図】        図１
2004160420.tif 000002
【特許請求の範囲】
【請求項１】
任意の外形形状を有する湾曲肉薄金属プレートに複数の極小径孔部を穿ち、その湾曲肉薄金属プレート外形端から外方に延出周設させたスカート部を設けた液体噴出表面プレートと、該液体噴出表面プレートと同形状の外形形状及びスカート部を有する肉薄金属プレートを液体溜めに形成して該液体溜め内に液体を導入する導入部を開設した液体溜めチャンバと、前記液体噴出表面プレートと前記液体溜めチャンバとを組み合わせたノズル本体の表裏双方から前記液体噴出表面プレートのスカート部と前記液体溜めチャンバのスカート部とを外方から挟持する一対の挟持体と、該挟持体を介し前記液体噴出表面プレートのスカート部と前記液体溜めチャンバのスカート部とを密着把持する把持具とを設け、該把持具によって把持し前記液体噴出表面プレートと前記液体溜めチャンバとを組み合わせてノズル本体を形成すると共に、該把持具を解除して該ノズル本体を前記液体噴出表面プレートと前記液体溜めチャンバとに分離可能に構成したことを特徴とする液体散布機器用ノズル。
【請求項２】
前記一対の挟持体の一方を前記液体噴出表面プレートのスカート部と前記液体溜めチャンバのスカート部との外形輪郭形状に倣った内側形状を有し両スカート部が該内側形状に倣って挿脱可能なガイド部とし該ガイド部の終端に前記液体噴出表面プレートのスカート部と前記液体溜めチャンバのスカート部とを受ける受け座を周設し表面側挟持体となし、前記一対の挟持体の他方を前記ガイド部の内側形状に沿って嵌入が可能な押さえ部である裏面側挟持体となし、前記液体噴出表面プレートのスカート部と前記液体溜めチャンバのスカート部とを前記ガイド部の開放端側より挿入して該受け座に当接載置させ該押さえ部によって両スカート部を挟持し前記把持具により前記押さえ部と前記受け座とを把持しノズル本体を構成したことを特徴とする請求項１に記載の液体散布機器用ノズル。
【請求項３】
前記液体噴出表面プレートのスカート部と前記液体溜めチャンバのスカート部との合わせ面にパッキンを介在させ該合わせ面の液密性を保つと共に前記把持具の把持効果を高めるように構成したことを特徴とする請求項１又は２に記載の液体散布機器用ノズル。
【発明の詳細な説明】
【０００１】
【発明の属する技術分野】
本発明は、液体散布用機器に取り付けて水、消毒剤溶液、殺虫剤溶液等の液体を広い範囲に散布するために使用されるノズルに関する。
【０００２】
【従来の技術】
従来、農業や園芸等における、水、消毒剤溶液、殺虫剤溶液等の液体の散布は、蓄圧式噴霧器、電動式噴霧器等の加圧型噴霧器かまたは、散水用じょろ等を用いて行っている。これら液体散布用機器の液体噴出端部にはノズルが設けられている。ノズルは複数の極小な孔部を有する液体噴出表面プレートと液体溜めチャンバとが一体的に形成されたノズル本体とこのノズル本体に液体を導入する液体導入部によって構成される。ノズルは複数の極小な孔部から水、消毒剤溶液、殺虫剤溶液等の液体を噴出させ、広い範囲にわたって均一に液体を散布する機能を有する。この広い範囲にわたって均一に液体を散布するという機能を発揮させるために、液体噴出表面プレートの形状はさまざまな工夫がなされている。液体噴出表面プレートの形状は、正円状、小判状、又は、先端部が小円で後端部大円の変形長円状等のものが有り、目的とする被散布面又は、被散布物の形状に応じて選択される。
【０００３】
従来の液体散布用ノズルについては、薬液散布中に吸入する恐れのある霧状ではなく、細かい水滴の状態で散布することができるようにしたノズルの記載がある（例えば、特許文献１参照）。
【０００４】
【特許文献１】
特開平１１−１９２０４６公報（段落番号０００４
【課題を解決するための手段】）
【０００５】
【発明が解決しようとする課題】
ノズルの形状は、目的とする被散布面又は、被散布物の形状に応じて決定される。従って必ずしも、液体噴出表面プレートの形状が正円であるとは限らない。液体噴出表面プレートの形状が正円である場合は液体噴出表面プレートと液体溜めチャンバとの一方に雄螺子部と他方に雌裸子部を形成し、一方を他方にねじ込み一体的にノズル本体を構成することができる。このような構成のノズル本体は液体噴出表面プレートと液体溜めチャンバとを分離することが可能である。しかし、目的とする被散布面又は、被散布物の形状に応じて液体噴出表面プレートの形状はむしろ正円である場合は少なく、小判状や先端部が小円で後端部大円の変形長円状等のものの場合の方が多い。液体噴出表面プレートの形状が正円でない場合には、液体噴出表面プレートと液体溜めチャンバとは一体に固着形成され双方を分離可能に構成することができない。
【０００６】
用途、目的に応じて、選択され使用されるノズルは、液体を導出するパイプに接合する液体導入部とノズル本体とが一体的に形成されている。このような一体型のノズルは使用の用途、目的に応じて液体噴出表面プレートの形状が選択される。選択されたノズルの液体導入部がパイプに接合され、パイプから導出されてくる液体は液圧を受けてノズル本体に導入され、所要の液圧の下で液体噴出表面プレートの複数の孔部からは噴水のように液体が盛り上がって噴出する。
しかしながら、このような液体噴出表面プレートと液体溜めチャンバとが固着形成されたノズル本体部に液体導入部が一体的に形成されたノズルの場合には、液体噴出表面プレートの裏面側に付着したごみ、残渣等により孔部に目詰まりを起こした場合にこれを清掃除去するのが困難である。
【０００７】
本発明は上記問題点に鑑みなされたものであり、液体噴出表面プレートと液体溜めチャンバとの外形形状のいかんに関わらず液体噴出表面プレートと液体溜めチャンバとが分離可能に構成された液体散布機器用ノズルを提供することを目的とする。
【０００８】
【課題を解決するための手段】
本発明の第１の態様に係る液体散布機器用ノズルは、任意の外形形状を有する湾曲肉薄金属プレートに複数の極小径孔部を穿ち、その湾曲肉薄金属プレート外形端から外方に延出周設させたスカート部を設けた液体噴出表面プレートと、液体噴出表面プレートと同形状の外形形状及びスカート部を有する肉薄金属プレートを液体溜めに形成して液体溜め内に液体を導入する導入部を開設した液体溜めチャンバと、液体噴出表面プレートと液体溜めチャンバとを組み合わせたノズル本体の表裏双方から液体噴出表面プレートのスカート部と液体溜めチャンバのスカート部とを外方から挟持する一対の挟持体と、挟持体を介し液体噴出表面プレートのスカート部と液体溜めチャンバのスカート部とを密着把持する把持具とを設け、把持具によって把持し液体噴出表面プレートと液体溜めチャンバと組み合わせてノズル本体を形成すると共に、把持具を解除してノズル本体を液体噴出表面プレートと液体溜めチャンバとに分離可能に構成したものである。
【０００９】
この構成によれば、一対の挟持体を介し液体噴出表面プレートのスカート部と液体溜めチャンバのスカート部とが把持具によって密着把持されノズル本体が構成される。この把持具を解除すると液体噴出表面プレートのスカート部と液体溜めチャンバのスカート部との密着把持状態が解除される。ノズル本体を構成していた液体噴出表面プレートと液体溜めチャンバとは分離されて、液体噴出表面プレートの裏面に付着して目詰まりの原因となったほこり、ごみ、ちり、残渣などの原因物質を完全に取り除くことができる。
【００１０】
本発明の第２の態様に係る液体散布機器用ノズルは、第１の態様において、一対の挟持体の一方を、液体噴出表面プレートのスカート部と液体溜めチャンバのスカート部との外形輪郭形状に倣った内側形状を有し両スカート部がこの内側形状に倣って挿脱可能なガイド部とし、ガイド部の終端に液体噴出表面プレートのスカート部と液体溜めチャンバのスカート部とを受ける受け座を周設し表面側挟持体となし、一対の挟持体の他方を、ガイド部の内側形状に沿って嵌入が可能な押さえ部である裏面側挟持体となし、液体噴出表面プレートのスカート部と液体溜めチャンバのスカート部とをガイド部の開放端側より挿入して受け座に当接載置させ押さえ部によって両スカート部を挟持し把持具により押さえ部と受け座とを把持しノズル本体を構成した。
【００１１】
この構成によれば、ガイド部を有しガイド部の一端側に受け座を設けた一方の挟持体に液体噴出表面プレート、液体溜めチャンバを挿入し受け座にこれらの両スカート部を着座させ、他方の挟持体である押さえ部をガイド部に嵌入しこれらを挟持するので、ガイド部の内側形状に倣い整えられる。液体噴出表面プレートのスカート部と液体溜めチャンバのスカート部との外形がずれを生ずることなく一致するので、正常なノズル本体を構成することができる。
【００１２】
本発明の第３の態様に係る液体散布機器用ノズルは、第１の態様又は、第２の態様において、液体噴出表面プレートのスカート部と液体溜めチャンバのスカート部との合わせ面にパッキンを介在させ合わせ面の液密性を保つと共に把持具の把持効果を高めるように構成したものである。
【００１３】
この構成によれば、液体噴出表面プレートのスカート部と液体溜めチャンバのスカート部との合わせ面に介在させたパッキンにより合わせ面の液密性を保つと共にパッキンの弾性復元力と把持具の把持力のバランスにより液体噴出表面プレートのスカート部と液体溜めチャンバのスカート部とはより緊密に密着保持される。
【００１４】
【発明の実施の形態】
以下添付図面を参照しながら、本発明の実施の形態を説明する。図１は本発明の実施形態に係るノズル本体を示す斜視図である。図２は本発明の実施形態に係るノズル本体を示す分解斜視図である。図３（１）は本発明の実施形態に係る液体噴出表面プレート１を示す平面図であり、図３（２）は、図３（１）のＣ−Ｃ断面図である。図４は本発明の実施形態に係る表面側挟持体５を示す平面図である。図５は本発明の実施形態に係る裏面側挟持体３を示す平面図である。図６は本発明の実施形態に係る把持具６を示す斜視図である。図７は本発明の実施形態に係る液体噴出表面プレート１のスカート部１１と液体溜めチャンバ２のスカート部２１とを合わせた状態を示す部分断面図である。図８は本発明の実施形態に係る把持具６の作用を示すノズル本体の部分断面図である。
【００１５】
図１及び図２において、１０はノズル本体、１は液体噴出表面プレート、２は液体溜めチャンバ、３は裏面側挟持体、４はパッキン、５は表面側挟持体、６は把持具である。裏面側挟持体３と表面側挟持体５とは双方合わせて一対の挟持体をなす。
【００１６】
液体噴出表面プレート１は金属薄板よりなり先端部が小円で後端部が大円の変形長円状の外形形状を有し、僅かに外方に向けて湾曲したプレート上に複数の極小な直径の孔部が開設されている。液体噴出表面プレート１は変形長円状の外形端より更に外方に延出したスカート部１１が周設されている。液体噴出表面プレート１のスカート部１１は断面ｕ−字状に形成されている。
【００１７】
液体溜めチャンバ２は金属薄板よりなり液体噴出表面プレート１と同形状の先端部が小円で後端部が大円の変形長円状の外形形状を有し、液体噴出表面プレート１の裏面側の対向部に液体溜めが形成されている。液体溜めの一部に液体導入部が開設され中空のパイプが接続され、パイプを介して液体が液体溜めに導入される。液体溜めチャンバ２は変形長円状の外形端より更に外方に平坦なスカート部２１が周設されている。液体噴出表面プレート１のスカート部１１と液体溜めチャンバ２のスカート部２１とは相互に対応するように形成されている。
【００１８】
表面側挟持体５は樹脂製であり、液体噴出表面プレート１のスカート部１１と液体溜めチャンバ２のスカート部２１の外形輪郭と略同一の輪郭のリング状をなしている。表面側挟持体５は液体噴出表面プレート１のスカート部１１と液体溜めチャンバ２のスカート部２１とを受ける受け座５２の周囲にガイド部５１を突出周設させ（Ｂ−Ｂ断面参照）、このガイド部の適宜の個所に切り欠き部５３を設け把持具６を取り付けるように形成される（Ａ−Ａ断面参照）。受け座５２の裏面側に溝部５４が形成されている。この溝部５４の外方端部が把持具６の腕部に設けた溝部に係合し把持具６を外れ難くする。
【００１９】
裏面側挟持体３は樹脂製であり、液体噴出表面プレート１のスカート部１１と液体溜めチャンバ２のスカート部２１の外形輪郭と略同一の輪郭のリング状をなしている。裏面側挟持体３は液体溜めチャンバ２のスカート部１１の表面に当接する挟持面３２の裏面側に凸部３１を周設させた構造を有する（Ｄ−Ｄ断面参照）。裏面側挟持体３は液体噴出表面プレート１のスカート部１１と液体溜めチャンバ２のスカート部２１とを表面側挟持体５の受け座５２に載置し押圧する押さえ部を構成する。把持具６の溝を有しない腕部は突部３１に係合する。裏面側挟持体３は表面側挟持体５のガイド部５１に嵌合する。
【００２０】
把持具６は樹脂製であり、支柱部６１と支柱部６１両端より横方向に延出させた２本の腕部６２，６３よりなる側面視略コ字状の把持部材である。腕部６２，６３は先端部間の間隔が根元部間の間隔よりも若干狭く構成されている。更に、図示のように、腕部内側には、挟持体の一部に係合する溝部が形成されている。
【００２１】
液体噴出表面プレート１のスカート部１１と液体溜めチャンバ２のスカート部２１とは液体噴出表面プレート１のスカート部１１の断面ｕ−字状溝に嵌め込んだパッキン４を介して合わせられる。このような構成によって、液体噴出表面プレート１のスカート部１１と液体溜めチャンバ２のスカート部２１との合わせ面に介在させたパッキン４により合わせ面の液密性を保つことができる。
【００２２】
図８において、液体噴出表面プレート１のスカート部１１と液体溜めチャンバ２のスカート部２１とはパッキン４を介在させて合わせられ、表面側挟持体５の受け座５２に当接載置され、裏面側挟持体３によって挟持される。受け座５２裏面の最外端から裏面側挟持体３の凸部３１先端までの距離よりも若干短い間隔の腕部先端間距離を有する把持具６を腕部６２，６３の先端部を拡開させ表面側挟持体５と裏面側挟持体３とを外方から把持する。このように把持すると、把持具６の腕部６２，６３の溝部を有する方の腕部の先端内側部が受け座５２裏面の溝部５４の外方端部に係合し、他方の腕部が裏面側挟持体３の凸部３１に係合し、把持具６が外れ難くなる。またこのように把持するとパッキン４の弾性復元力と把持具６の把持力のバランスにより液体噴出表面プレート１のスカート部１１と液体溜めチャンバ２のスカート部２１とはパッキン４を介しより緊密に密着保持される。
【００２３】
【発明の効果】
本発明は、以上のように構成したから下記の有利な効果を奏する。
請求項１によれば、液体噴出表面プレートのスカート部と液体溜めチャンバのスカート部とをパッキンを介して裏面側挟持体と表面側挟持体とで挟持し把持具によって外側から把持しノズル本体が構成される。この把持具を解除すると液体噴出表面プレートのスカート部と液体溜めチャンバのスカート部との密着把持状態が解除される。ノズル本体を構成していた液体噴出表面プレートと液体溜めチャンバとは分離されて、液体噴出表面プレートの裏面に付着して目詰まりの原因となったほこり、ごみ、ちり、残渣などの原因物質を完全に取り除くことができる。
【００２４】
請求項２によれば、表面側挟体の受け座に液体噴出表面プレートスカート部と液体溜めチャンバのスカート部とを合わせてガイド部を介して載置し、裏面側挟持体を同じくガイド部を介し嵌挿しスカート部を合わせた部分を外側から挟持する。このように挟持すると、全てが、ガイド部の内側形状に倣い整えられる。液体噴出表面プレートのスカート部と液体溜めチャンバのスカート部との外形がずれを生ずることなく一致するので、正常なノズル本体を構成することができる。
【００２５】
請求項３によれば、液体噴出表面プレートのスカート部と液体溜めチャンバのスカート部との合わせ面に介在させたパッキンにより合わせ面の液密性を保つと共にパッキンの弾性復元力と把持具の把持力のバランスにより液体噴出表面プレートのスカート部と液体溜めチャンバのスカート部とはより緊密に密着保持される。
【図面の簡単な説明】
【図１】本発明の実施形態に係る液体散布用ノズル本体を示す斜視図である。
【図２】本発明の実施形態に係るノズル本体を示す分解斜視図である。
【図３】（１）は本発明の実施形態に係る液体噴出表面プレートを示す平面図であり、（２）は、（１）のＣ−Ｃ断面図である。
【図４】本発明の実施形態に係る表面側挟持体を示す平面図である。
【図５】本発明の実施形態に係る裏面側挟持体を示す平面図である。
【図６】本発明の実施形態に係る把持具を示す斜視図である。
【図７】本発明の実施形態に係る液体噴出表面プレート１のスカート部１１と液体溜めチャンバ２のスカート部２１とを合わせた状態を示す部分断面図である。
【図８】本発明の実施形態に係る把持具６の作用を示すノズル本体の部分断面図である。
【符号の説明】
１  液体噴出表面プレート
２  液体溜めチャンバ
３  裏面側挟持体
４  パッキン
５  表面側挟持体
６  把持具
１０  ノズル本体
【図１】
2004160420.tif 000003
【図２】
2004160420.tif 000004
【図３】
2004160420.tif 000005
【図４】
2004160420.tif 000006
【図５】
2004160420.tif 000007
【図６】
2004160420.tif 000008
【図７】
2004160420.tif 000009
【図８】
2004160420.tif 000010